【手続補正書】
【提出日】平成16年11月10日(2004.11.10)
【手続補正１】
【補正対象書類名】特許請求の範囲
【補正対象項目名】全文
【補正方法】変更
【補正の内容】
【特許請求の範囲】
【請求項１】
骨移植片の骨誘導および／または骨伝導能力の改善のための、少なくとも1種のビスホスホナートからなる群から選択される医薬。
【請求項２】
骨移植片代用材もしくは補充材の骨誘導および／または骨伝導能力の改善のための、少なくとも1種のビスホスホナートからなる群から選択される医薬。
【請求項３】
骨移植片代用材もしくは補充材を骨移植片との組み合せでもしくは互いの組み合せで使用する場合の該骨移植片代用材もしくは補充材の骨誘導および／または骨伝導能力の改善のための、少なくとも1種のビスホスホナートからなる群から選択される医薬。
【請求項４】
前記骨移植片が自家骨移植片である、請求項１に記載の医薬。
【請求項５】
前記骨移植片が同種骨移植片もしくは異種骨移植片である、請求項１に記載の医薬。
【請求項６】
該骨移植片代用材および／または補充材の製造時に、前記少なくとも1種のビスホスホナートが前記骨移植片代用材および／または補充材と混和される、請求項２に記載の医薬。
【請求項７】
前記骨移植片代用材もしくは補充材が合成カルシウム複合体からなる、請求項２に記載の医薬。
【請求項８】
前記補充材および／または前記骨移植片代用材が患者の体内で完全に吸収性である、請求項２に記載の医薬。
【請求項９】
前記少なくとも１種のビスホスホナートが、治療を必要とする患者に静脈内、経口、皮下、筋内、経皮あるいは局所的に投与される、請求項１〜５、７、または８のいずれか１項に記載の医薬。
【請求項１０】
前記少なくとも１種のビスホスホナートがゾレドロン酸（ゾレドロナート）またはそれの医薬的に許容される塩もしくはエステルである、請求項１〜９のいずれか１項に記載の医薬。
【請求項１１】
前記少なくとも１種のビスホスホナートが、パミドロナート、アレンドロナート、エチドロナート、クロドロナート、リセドロナート、チルドロナート、イバンドロナート、インカドロナート、ミノドロナート、オルパドロナート、ネリドロナート、またはEB-1053、あるいはこれらの医薬的に許容される塩もしくはエステル、から選択される、請求項１〜９のいずれか１項に記載の医薬。
【請求項１２】
前記ゾレドロン酸（ゾレドロナート）が非経口的に用量当り0.01〜0.5 mg/kg体重で投与される、請求項１０に記載の医薬。
【請求項１３】
前記ゾレドロン酸（ゾレドロナート）が、骨移植片または骨移植片代用材もしくは補充材あるいはそれらの組み合せと、用量当り0.0001〜0.5 mg/kg体重で混和される、請求項１０に記載の医薬。
【請求項１４】
前記骨移植片代用材もしくは補充材、あるいはそれらの組み合せが、コラーゲン、ゼラチン、グリセロール、レジン、ポリグリコール酸、ポリ乳酸、またはその他の完全に吸収性である生体適合性ポリマー、あるいはこれらの組み合せ、から選択される担体媒体と、注入可能な液体の形態、ジェルの形態、パテの形態、またはセメントの形態か、もしくは成型可能な液体の形態、セメントの形態、パテの形態、ジェルの形態、フレキシブルシートの形態、メッシュの形態、またはスポンジの形態で混和される、請求項２に記載の医薬。
【請求項１５】
前記少なくとも１種のビスホスホナートが、前記担体媒体と、該担体媒体の製造時に混和される、請求項１４に記載の医薬。
【請求項１６】
前記担体が、骨形成タンパク質7 (OP-1）、BMP-2または-4または-6、形質転換成長因子ベータ、線維芽細胞増殖因子、インスリン様成長因子、またはオステオカルシンから選択される遺伝子産物を含んでいる、請求項１４または１５に記載の医薬。
【請求項１７】
骨移植術を受けている患者を治療する医薬の製造のための、少なくとも1種のビスホスホナートからなる群から選択される医薬の使用。
【請求項１８】
骨移植片の骨誘導および／または骨伝導能力を改善する医薬の製造のための、少なくとも1種のビスホスホナートからなる群から選択される医薬の使用。
【請求項１９】
骨移植片代用材もしくは補充材の骨誘導および／または骨伝導能力を改善する医薬の製造のための、少なくとも1種のビスホスホナートからなる群から選択される医薬の使用。
【請求項２０】
自家骨髄の骨誘導能力を改善するための、少なくとも1種のビスホスホナートからなる群から選択される医薬。
【請求項２１】
前記骨髄が、被験者への移植の前に前記少なくとも１種のビスホスホナートと混和される、請求項２０に記載の医薬。
【請求項２２】
コラーゲン、ゼラチン、グリセロール、レジン、ポリグリコール酸、ポリ乳酸、またはその他の完全に吸収性である生体適合性媒体、あるいはこれらの組み合せ、から選択される吸収性の担体媒体と、注入可能な液体の形態、ジェルの形態、パテの形態、またはセメントの形態か、もしくは成型可能な液体の形態、セメントの形態、パテの形態、ジェルの形態、フレキシブルシートの形態、メッシュの形態、またはスポンジの形態か、あるいはその他の容易に適用可能な方法で組み合わされる請求項２０または２１に記載の医薬。
【請求項２３】
さらに骨移植片、骨移植片代用材もしくは補充材、あるいはそれらの組み合せと混和される、請求項２０〜２２のいずれか１項に記載の医薬。
【請求項２４】
骨折などの外傷から生じる骨欠損、骨の遅延癒合または非癒合、開放性骨折または皮下骨折切開治療の後の感染による骨欠損、腫瘍または嚢胞形成などの外傷とは無関係の骨欠陥、副甲状腺機能亢進症または腎不全などの代謝障害から来る骨溶解、骨髄炎、あるいは外科的骨除去、を病む患者の治療に使用される、請求項１〜１６および２０〜２３のいずれか１項に記載の医薬。
【請求項２５】
上顎骨、下顎骨、または頭蓋骨の骨欠陥を病む患者の治療のための、請求項１〜１６および２０〜２３のいずれか１項に記載の医薬。
【請求項２６】
骨切り術を受け且つ骨癒合を補助するために骨移植が必要である患者の治療のための、請求項１〜１６および２０〜２３のいずれか１項に記載の医薬。
【請求項２７】
脛骨、腓骨、またはそのほかの骨の先天性偽関節、あるいは関連する病状を病む患者、または骨移植が必要とされている修正手術もしくは複雑一次関節形成術を受けている患者の治療のための、請求項１〜１６および２０〜２３のいずれか１項に記載の医薬。
【請求項２８】
脊髄またはそのほかの関節の関節固定術が必要な患者の治療のための、少なくとも1種のビスホスホナートからなる群から選択される医薬。
【請求項２９】
手術時に選択領域で局所的に得られる移植片粒子の骨誘導および／または骨伝導能力の増強のための、請求項２８に記載の医薬。
【請求項３０】
前記少なくとも１種のビスホスホナートが、前記患者に前記手術時またはその近くで非経口的に投与される、請求項２８または２９に記載の医薬。
【請求項３１】
前記少なくとも１種のビスホスホナートが、骨移植片、骨髄、骨移植片代用材もしくは補充材、またはこれらの組み合せと混和される、請求項２８または２９に記載の医薬。
【請求項３２】
少なくとも1種のビスホスホナートからなる群から選択され、椎体間脊椎固定用ケージ内に保持されている骨移植片、骨移植片代用材もしくは補充材の骨誘導および／または骨伝導能力の改善のための、医薬。
【請求項３３】
前記ケージが、チタン、そのほかの生体適合性金属もしくは合金、または吸収性のポリマー、あるいはカルシウム含有複合体から選択される材料からできている、請求項３２に記載の医薬。
【請求項３４】
前記少なくとも１種のビスホスホナートが患者に全身的に投与される、請求項３２または３３に記載の医薬。
【請求項３５】
前記少なくとも１種のビスホスホナートが、前記骨移植片、骨移植片代用材もしくは補充材と混和される、請求項３２に記載の医薬。